(57)【要約】繰り返し放送されるデータを取得する方法は、データをフラグメント単位で取得し、フラグメント上に情報を有する文書を取得し、情報を調べ、情報に従ってフラグメントを再取得する段階を含む。
2005521292.tif 000002
【特許請求の範囲】
【請求項１】
繰り返し放送されるデータを取得する方法であって、
前記データをフラグメント単位で取得し、前記フラグメント上に情報を有する文書を取得し、前記情報を調べ、前記情報に従って前記フラグメントを再取得する、方法。
【請求項２】
前記文書は、データの各フラグメントに対するタイムスタンプを含み、各タイムスタンプは各フラグメントが最後に更新されたのがいつであるかを示す、請求項１記載の方法。
【請求項３】
前記文書は、前記文書が最後に更新されたのがいつであるかを示すタイムスタンプを含む、請求項１又は２記載の方法。
【請求項４】
前記データのフラグメントの再取得をトリガする信号を受信する、請求項１乃至３のうちいずれか一項記載の方法。
【請求項５】
繰り返し放送されるデータを取得する装置であって、
前記データをフラグメント単位で取得し、前記フラグメント上に情報を有する文書を取得する受信手段と、前記情報を調べる処理手段とを有し、前記受信手段は、前記情報に従って前記フラグメントを再取得する、装置。
【請求項６】
データを繰り返し放送する方法であって、前記データをフラグメント単位で放送し、前記フラグメント上に情報を有する文書を放送する、方法。
【請求項７】
前記文書はデータの各フラグメントに対するタイムスタンプを含み、各タイムスタンプは各フラグメントが最後に更新されたのはいつであるかを示す、請求項６記載の方法。
【請求項８】
前記文書は、前記文書が最後に更新されたのがいつであるかを示すタイムスタンプを含む、請求項６又は７記載の方法。
【請求項９】
前記文書が更新されると信号を放送する、請求項６乃至８のうちいずれか一項記載の方法。
【請求項１０】
データを繰り返し放送する装置であって、
前記データをフラグメント単位で放送し、前記フラグメント上に情報を有する文書を放送する送信手段を有する、装置。
【発明の詳細な説明】
【技術分野】
【０００１】
本発明は、繰り返し放送されるデータベース中の変化を容易に確認する方法に関連する。
【背景技術】
【０００２】
オーディオ／ビジュアルコンテンツをエンドユーザへ放送するシステムでは、データ及び／又はメタデータをオーディオ／ビジュアルコンテンツと共に放送することが一般的である。番組記述のためのメタデータについてＴＶ  Ａｎｙｔｉｍｅ方式を実現するために、番組を記述する情報のデータベースを放送することが必要である。受信側装置が任意の時間にチャンネルに同調したときにデータベースを取得しうるよう、データをカルセル式に繰り返し再放送することが必要である。データベースは、潜在的に非常に大きく、カルセル期間は非常に長いものでありうる。
【０００３】
ＭＰＥＧ−７は、ＸＭＬデータファイルを二値化し、アップデートを送信するための使用（ＢｉＭ）を定めた。これは、繰り返しの放送によって生ずる問題について扱っていない。ＤＶＢでは、繰り返される再放送用のフォーマットで放送の中でファイルシステムデータを送信するために、ＭＰＥＧ−２  ＤＳＭ  ｃｃ  Ｏｂｊｅｃｔ  Ｃａｒｏｕｓｅｌが採用されている。オブジェクト・カルーセル（Ｏｂｊｅｃｔ  Ｃａｒｏｕｓｅｌ）がこの提案の主要部分であり、より高位のレイヤのプロトコルがオブジェクト・カルーセルの上に築かれる。
【発明の開示】
【発明が解決しようとする課題】
【０００４】
データベースを取得している受信器は、放送されるデータベースを常に聴いて（listenして）いて、これを頻繁に取得することを望んではいない。おそらくは、一定の時間の後は、現在のデータが必要でなくなるか、これをローカルに（望ましくはディスク上に）キャッシュしていることが考えられる。このような受信器は、繰り返される放送を聴き、いつデータ項目が変更され、どこに変化が記述されているかを非常に少ない処理上の努力で見つけることが可能であることが望ましい。
【０００５】
本発明は、従来技術の問題を克服することを目的とする。
【課題を解決するための手段】
【０００６】
本発明の第１の面によれば、繰り返し放送されるデータを取得する方法であって、データをフラグメント単位で取得し、フラグメント上に情報を有する文書を取得し、情報を調べ、情報に従ってフラグメントを再取得する方法が提供される。
【０００７】
本発明の第２の面によれば、繰り返し放送されるデータを取得する装置であって、データをフラグメント単位で取得し、フラグメント上に情報を有する文書を取得する受信手段と、情報を調べる処理手段とを有し、受信手段は、情報に従って前記フラグメントを再取得する装置が提供される。
【０００８】
本発明の第３の面によれば、データを繰り返し放送する方法であって、データをフラグメント単位で放送し、フラグメント上に情報を有する文書を放送する方法が提供される。
【０００９】
本発明の第４の面によれば、データを繰り返し放送する装置であって、データをフラグメント単位で放送し、フラグメント上に情報を有する文書を放送する送信手段を有する装置が提供される。
【発明の効果】
【００１０】
本発明によれば、放送されたデータをより効率的に取得することが可能である。
【００１１】
有利には、文書は、データの各フラグメントに対するタイムスタンプを含み、各タイムスタンプは各フラグメントが最後に更新されたのはいつであるかを示す。望ましくは、文書はまた、文書自体が最後に更新されたのはいつであるかを示すタイムスタンプを含む。理想的には、データフラグメントの再取得をトリガする信号が受信装置へ送信される。
【発明を実施するための最良の形態】
【００１２】
本発明の実施例について、添付の図面を参照して、例としてのみ説明する。図１の放送システムでは、送信器１０は、ディジタルテレビジョンである受信器１２へ信号１４を放送する。信号１４は、オーディオ／ビジュアルコンテンツ１６及びデータ・カルーセル１８を有する。データ・カルーセル１８は、データフラグメント２０及び最上位文書２２を有する。
【００１３】
送信器１０は、データ１８を繰り返し放送し、データをフラグメント単位で放送し、フラグメント２０上に情報を有する文書２２を放送する送信手段１１を有する。受信器１２は、データ２０をフラグメント単位で取得し、データフラグメント２０上に情報を有する文書２２を取得する受信手段１３を有する。受信器１２はまた、文書２２中の情報を調べる処理手段１５と、文書２２中の情報に従ってデータフラグメント２０を再取得する受信手段１３とを含む。
【００１４】
放送されるデータベースは、明確なフラグメント２０へ分割される。各フラグメント２０は、単一の単位として更新されることが意味のあることである情報部分を表わす。最上位では、各フラグメント２０（例えばファイル名）をどこでみつけるか、及び他のフラグメントとの関係を記述する「最上位（top-level）」文書２２が定められる。最上位文書２２の中には、各フラグメント２０が最後に更新されたのはいつであるかを示すタイムスタンプが与えられる。この最上位文書２２はまた、これが最後に更新されたのはいつであるかを示すタイムスタンプを持っている。
【００１５】
最上位文書２２は、放送されるファイルシステム（例えばオブジェクト・カルーセル）中の周知の位置に挿入される。ここでいう周知とは、公に合意された場所であるか、トランスポートストリーム中で配置される場所について標準化された信号送信方法があるかのいずれかを意味する。最上位文書２２は、オブジェクト・カルーセルの仕様で定められているように、オブジェクト・カルーセルの「モジュール」に挿入される。受信器１２は、モジュールの識別情報を容易に導出できる。
【００１６】
アップデートを確認するために、受信器１２は、オブジェクト・カルーセルのモジュールを聴く。オブジェクト・カルーセルは、モジュールが更新されると合図を送る。従って、受信器１２は、最上位文書２２を含むモジュールが更新されたことを確認すると、モジュールを開き、最上位文書２２を調べる。タイムスタンプは、最上位文書２２が変化を含むこと（又は含まないこと）を裏付ける。変化があれば、受信器１２は、どのフラグメント２０が変更されているかを見つけるために各フラグメント識別子上のタイムスタンプを見つけるべく最上位文書２２を調べる。受信器１２は、これが重要な変化であるか否かを決定しうる。
【００１７】
このシステムは、１つの最上位文書２２と、本質的に同じ機能を有する多数の「第２レベル（ｓｅｃｏｎｄ−ｌｅｖｅｌ）」文書２４をいずれも許すことによって、拡張性を更に高めることができる。図２は、最上位文書２２、第２レベル文書２４、及びデータフラグメント２０の間の関係を示す。最上位文書２２は、任意に第２レベル文書２４を参照する。参照は、変化の確認を容易とするようタイムスタンプが付される。最上位文書２２及び第２レベル文書２４はいずれもフラグメント２０を参照しうる。このように、タイムスタンプは、変化がどこにあるのか、また、それらが重要であるのかを確認するのを比較的容易とする。
【００１８】
受信器１２によって取得される文書２２は、受信器１２によってアドレス指定され、呼び出され、格納される特定のファイルであってもよく、又は、データカルーセル１８の一部として送信器１０によって送信されるより大きいインデックスの一部であってもよい。後者の場合、文書２２は、受信器１２によってオンデマンドに読み出されるようインデックスから抽出される。
【００１９】
このようなシステムは、ＴＶＡｎｙｔｉｍｅメタデータのＤＶＢ放送に特に適している。
【図面の簡単な説明】
【００２０】
【図１】放送システムを示す概略図である。
【図２】データフラグメントと、最上位及び第２レベルの文書との間の関係を示す概略図である。
【図１】
2005521292.tif 000003
【図２】
2005521292.tif 000004
【国際調査報告】
2005521292.tif 000005
2005521292.tif 000006